(57)【要約】【課題】同一の音声放送を複数の子局装置に同報する無線同報システムにおいて、拡声出力を実行できない事態の発生を抑制し、同一の音声放送を再度行う事態を回避することを実現するという課題がある。【解決手段】本実施形態の無線同報システムは、親局装置から放送を複数の子局装置に同報送信する無線同報システムにおいて、前記親局装置は、前記放送を複数回実行する場合に、前記放送を識別するための識別情報及び送信回数を示す回数情報を送信する。前記子局装置は、音声出力制御部と、受信制御部とを具備する。前記音声出力制御部は、前記親局装置からの同報送信を受信した場合に、前記識別情報に基づいて、前記親局装置から受信した放送が最初の受信の場合には当該放送を音声出力し、既に受信した放送と同一の放送の場合には音声出力を実行しないように制御する。前記受信制御部は、前記回数情報に基づいて前記放送の同報送信が終了したことを認識する。【選択図】図３
2018093282.tif 000002
【特許請求の範囲】
【請求項１】
親局装置から放送を複数の子局装置に同報送信する無線同報システムにおいて、
前記親局装置は、
前記放送を複数回実行する場合に、前記放送を識別するための識別情報及び送信回数を示す回数情報を送信する手段を含み、
前記子局装置は、
前記親局装置からの同報送信を受信した場合に、前記識別情報に基づいて、前記親局装置から受信した放送が最初の受信の場合には当該放送を音声出力し、既に受信した放送と同一の放送の場合には音声出力を実行しないように制御する音声出力制御手段と、
前記回数情報に基づいて前記放送の同報送信が終了したことを認識する受信制御手段と
を具備する無線同報システム。
【請求項２】
前記子局装置は、
前記音声出力制御手段により前記最初の受信として音声出力を実行した場合に、フラグ情報を記憶するフラグ記憶手段と、
前記受信制御手段により前記放送の同報送信が終了したことを認識された場合に、前記フラグ記憶手段に設定された前記フラグ情報をリセットする手段と
を含む請求項１に記載の無線同報システム。
【請求項３】
前記音声出力制御手段は、
前記親局装置からの同報送信を受信した場合に、前記フラグ記憶手段の前記フラグ情報がリセットされている場合には前記最初の受信として当該放送を音声出力し、前記フラグ情報が設定されている場合には音声出力を実行しないように制御する請求項２に記載の無線同報システム。
【請求項４】
前記子局装置は、
前記音声出力制御手段により前記最初の受信として音声出力を実行した場合に、前記親局装置から受信した前記識別情報に対応する内部識別情報を記憶する記憶手段を含み、
前記音声出力制御手段は、
前記内部識別情報に基づいて、前記親局装置から受信した放送と、既に受信した放送とが異なるか否かを判定し、
判定結果が異なる場合に、前記最初の受信として前記親局装置から受信した放送を音声出力するように制御する請求項１に記載の無線同報システム。
【請求項５】
前記親局装置は、
前記複数回の同報送信において初期時に1回目の同報送信を実行する場合に、前記放送を識別するための識別情報として、前記子局装置の前記内部識別情報の初期値とは同期しない値を設定する請求項４に記載の無線同報システム。
【請求項６】
親局装置からの放送について複数回の同報送信を受信して音声出力を行う子局装置において、
前記親局装置からの同報送信を受信した場合に、放送を識別するための識別情報及び送信回数を示す回数情報を受信する手段と、
前記識別情報に基づいて、前記親局装置から受信した放送が最初の受信の場合には当該放送を音声出力し、既に受信した放送と同一の放送の場合には音声出力を実行しないように制御する音声出力制御手段と、
前記回数情報に基づいて前記放送の同報送信が終了したことを認識する受信制御手段と
を具備する子局装置。
【請求項７】
前記音声出力制御手段により前記最初の受信として音声出力を実行した場合に、フラグ情報を記憶するフラグ記憶手段と、
前記受信制御手段により前記放送の同報送信が終了したことを認識された場合に、前記フラグ記憶手段に設定された前記フラグ情報をリセットする手段と
を含む請求項６に記載の子局装置。
【請求項８】
前記音声出力制御手段は、
前記親局装置からの同報送信を受信した場合に、前記フラグ記憶手段の前記フラグ情報がリセットされている場合には前記最初の受信として当該放送を音声出力し、前記フラグ情報が設定されている場合には音声出力を実行しないように制御する請求項７に記載の子局装置。
【請求項９】
前記音声出力制御手段により前記最初の受信として音声出力を実行した場合に、前記親局装置から受信した前記識別情報に対応する内部識別情報を記憶する記憶手段を含み、
前記音声出力制御手段は、
前記内部識別情報に基づいて、前記親局装置から受信した放送と、既に受信した放送とが異なるか否かを判定し、
判定結果が異なる場合に、前記最初の受信として前記親局装置から受信した放送を音声出力するように制御する請求項６に記載の子局装置。
【請求項１０】
親局装置から放送を複数の子局装置に同報送信する無線同報システムに適用する無線同報受信方法であって、
前記子局装置において、
前記親局装置からの同報送信を受信した場合に、放送を識別するための識別情報及び送信回数を示す回数情報を受信する処理と、
前記識別情報に基づいて、前記親局装置から受信した放送が最初の受信の場合には当該放送を音声出力する処理と、
前記識別情報に基づいて、前記親局装置から受信した放送が既に受信した放送と同一の放送の場合には、音声出力を実行しないように制御する処理と、
前記回数情報に基づいて前記放送の同報送信が終了したことを認識する処理と
を実行する無線同報受信方法。
【発明の詳細な説明】
【技術分野】
【０００１】
本発明の実施形態は、無線同報システム、子局装置及び無線同報受信方法に関する。
【背景技術】
【０００２】
住民に対して防災情報等の連絡のため設置されている、行政防災無線システムでは、市区町村の庁舎等に設置した親局装置から送信した音声放送を、複数の子局装置が受信して音声の拡声出力を行っている。複数の子局装置は、その行政の管轄地域（同報対象エリア）内に分散して設置されている。
【０００３】
従来の無線同報システムでは、子局装置の中には、一時的なノイズや妨害波等により、親局装置から送信した音声放送を受信できず、拡声出力しない事態が発生する場合がある。このような事態の対策として、親局装置が、子局装置からポーリングでアンサーバック信号を受け取ることで、拡声出力を実行しない子局装置を判別し、その子局装置に対して同一の音声放送を再送信する方式がある。
【先行技術文献】
【特許文献】
【０００４】
【特許文献１】特開２０１１−２１７２１１号公報
【特許文献２】特開２００３−１１０５１１号公報
【特許文献３】特許第２７２５６８４号公報
【発明の概要】
【発明が解決しようとする課題】
【０００５】
拡声出力を実行できない事態の対策として、アンサーバック信号を受信する方式では、アンサーバック信号を送信する機能を備えていない子局装置には適用できない。また、親局装置が同一の音声放送を再送信する場合に、既に受信して拡声出力を完了している子局装置は、同一の音声放送を再度行う事態となる。
【０００６】
そこで、同一の音声放送を複数の子局装置に同報する無線同報システムにおいて、拡声出力を実行できない事態の発生を抑制し、同一の音声放送を再度行う事態を回避することを実現するという課題がある。
【課題を解決するための手段】
【０００７】
本実施形態の無線同報システムは、親局装置から放送を複数の子局装置に同報送信する無線同報システムにおいて、前記親局装置は、前記放送を複数回実行する場合に、前記放送を識別するための識別情報及び送信回数を示す回数情報を送信する手段を含む。前記子局装置は、音声出力制御手段と、受信制御手段とを具備する。前記音声出力制御手段は、前記親局装置からの同報送信を受信した場合に、前記識別情報に基づいて、前記親局装置から受信した放送が最初の受信の場合には当該放送を音声出力し、既に受信した放送と同一の放送の場合には音声出力を実行しないように制御する。前記受信制御手段は、前記回数情報に基づいて前記放送の同報送信が終了したことを認識する。
【図面の簡単な説明】
【０００８】
【図１】実施形態に関する行政防災放送に適用する無線同報システムの構成を説明するための概略図。
【図２】実施形態に関する無線親局装置の構成を説明するためのブロック図。
【図３】実施形態に関する無線子局装置の構成を説明するためのブロック図。
【図４】実施形態に関する無線同報動作を説明するためのシーケンス図。
【図５】実施形態に関する無線同報動作において１回目の送信に伴うテーブル情報の内容を示す図。
【図６】実施形態に関する無線同報動作において２回目の送信に伴うテーブル情報の内容を示す図。
【図７】実施形態に関する無線同報動作において３回目の送信に伴うテーブル情報の内容を示す図。
【図８】実施形態に関する無線子局装置の動作の手順を説明するためのフローチャート。
【図９】実施形態の変形例に関する無線子局装置の動作の手順を説明するためのフローチャート。
【発明を実施するための形態】
【０００９】
以下図面を参照して、実施形態を説明する。
［システムの構成］
図１は、行政防災放送に適用する無線同報システムの構成を示す概略図である。
図1に示すように、本システムは、例えば市区町村の行政庁舎４０に設置される無線親局装置１０と、該当市区町村の同報対象エリアに分散して設置される複数の無線子局装置２０（２０ａ〜２０ｅ）とを有する。本システムは、市区町村の行政庁舎４０から住民に対して、防災情報や各種お知らせ等を音声により放送する目的で設置されているシステムである。
【００１０】
無線子局装置２０には、例えば、屋外拡声子局装置（アンサーバック機能付き）２０ａ、戸別子局装置２０ｂ，２０ｄ、屋外拡声子局装置（受信専用）２０ｃ、及び再送信子局装置２０ｅが含まれる。屋外拡声子局装置（アンサーバック機能付き）２０ａは屋外に設置されて、前述したアンサーバック信号を送信する等の送信機能を有する。戸別子局装置２０ｂ，２０ｄは、例えば、一般住宅内に設置された子局装置である。屋外拡声子局装置（受信専用）２０ｃは屋外に設置されて、アンサーバック信号を送信する等の送信機能を備えていない受信専用の子局装置である。再送信子局装置２０ｅは、中継局３０から送信された同報波Ｗｓを受信し、これを同報波Ｗｒｓとして送信する機能を有する子局装置である。
【００１１】
各無線子局装置２０は、ＡＣ１００Ｖの商用電源により駆動する。なお、各無線子局装置２０は、前記商用電源（ＡＣ１００Ｖ）の停電時には、図示しない非常電源、または、当該無線子局装置２０が有する蓄電池により駆動する。
【００１２】
さらに、各無線子局装置２０は、中継局３０から送信された同報波Ｗｓ、または再送信子局装置２０ｅから送信された同報波Ｗｒｓの何れかを受信して動作する。各無線子局装置２０は、同報波Ｗｓ又は同報波Ｗｒｓにより無線親局装置１０から送信された音声放送を受信し、当該放送の音声を拡声出力するためのスピーカＳＰを有する。また、無線親局装置１０、各無線子局装置２０、中継局３０はそれぞれ、無線電波を送信又は受信、又は送受信するアンテナＡＴを有する。
【００１３】
中継局３０は、無線親局装置１０から送信された中継波Ｗｃを受信して中継し、各無線子局装置２０に対して同報波Ｗｓを送信する。同報波Ｗｓ及び中継波Ｗｃは、例えば何れも６０ＭＨｚの周波数帯で異なるチャンネルを使用する。
【００１４】
無線親局装置１０は、ＡＣ１００Ｖの商用電源を耐雷トランスＴから直流電源装置Ｅを介して直流に変換した電源電圧により駆動し、前記庁舎４０内の操作卓４１、又は消防署や支所等４２に設置された遠隔操作卓４３の操作に応じて動作する。庁舎４０内の操作卓４１には、地図情報等を表示する表示装置４４が設けられている。表示装置４４は、例えば前記同報対象エリアの地図や、当該エリア内の防災等に関する各種の情報・状況を表示する。
【００１５】
図２は、無線親局装置１０の構成を説明するためのブロック図である。図２に示すように、無線親局装置１０は、制御部１１、メモリ部１２、送受信部１３、及び電源部１５を有する。制御部１１はコンピュータを主要部とし、無線親局装置１０の全体的制御を実行する。制御部１１は、操作卓４１に含まれる操作部４１ａのユーザ操作（放送操作）に応じて、防災等に関する拡声放送を行うための音声放送の送信（無線同報）を実行する。操作卓４１は、操作部４１ａの操作内容や音声放送の内容等を表示する表示部４１ｂを含む。
【００１６】
メモリ部１２は、制御部１１のコンピュータの動作に関係するプログラムやデータ以外に、テーブル情報１２０及び放送履歴情報１２１を格納する。テーブル情報１２０は、後述するように、音声放送の無線同報動作に必要なテーブル情報である。放送履歴情報１２１は、無線親局装置１０が送信した音声放送内容の履歴情報である。
【００１７】
送受信部１３は、アンテナＡＴを介して音声放送を送信し、またはアンサーバック信号等を受信する。送受信部１３は、通常的に使用する現用送受信部１３ａ及び予備として使用する予備送受信部１３ｂを含む。送受信部１３は、制御部１１からの制御信号に応じて、現用送受信部１３ａと予備送受信部１３ｂとの動作を切り替える切替部１４を有する。即ち、制御部１１は、動作中の現用送受信部１３ａが故障した場合に、切替部１４を介して予備送受信部１３ｂを動作させる。
【００１８】
電源部１５は、商用電源（ＡＣ１００Ｖ）に接続し、制御部１１、メモリ部１２、送受信部１３のそれぞれに電源を供給し、商用電源の停電時には電源を確保することが可能な蓄電池を内蔵している。制御部１１は、電源部１５からの信号により商用電源の停電発生を判定し、電源部１５の蓄電池を電源として切り替える制御を実行する。
【００１９】
図３は、例えば、屋外拡声子局装置（アンサーバック機能付き）２０ａを代表とする無線子局装置２０の構成を示すブロック図である。図３に示すように、無線子局装置２０は、制御部２１、メモリ部２２、送受信部２３、拡声出力部２４、入出力部２５、電話機２６、及び電源部２７を有する。
【００２０】
制御部２１はコンピュータを主要部とし、無線子局装置２０の全体的制御を実行する。制御部２１は、入出力部２５に含まれる操作部２５ａのユーザ操作に応じた入力信号、あるいは送受信部２３により受信した無線親局装置１０からの音声放送に応じて、防災等に関する拡声放送を行うための制御を実行する。入出力部２５は、操作部２５ａの操作内容や拡声出力の内容等を表示する表示部２５ｂを含む。
【００２１】
メモリ部２２は、制御部２１のコンピュータの動作に関係するプログラムやデータ以外に、テーブル情報２２０を格納する。テーブル情報２２０は、後述するように、音声放送の受信動作及び拡声出力の制御に必要なテーブル情報である。
【００２２】
送受信部２３は、アンテナＡＴを介して音声放送を受信し、またはアンサーバック信号等を送信する。送受信部２３は、アンテナＡＴを介して受信された無線親局装置１０からの無線信号を復調してデジタル変換し、デジタル変換された受信信号を制御部２１に出力する。なお、実際には、前述したように、送受信部２３は、無線親局装置１０からの中継波Ｗｃを受信した中継局３０から送信された同報波Ｗｓを受信する。
【００２３】
拡声出力部２４は、音声増幅部２４０及びスピーカＳＰを有する。音声増幅部２４０は、送受信部２３により受信された同報波Ｗｓ（音声放送）から復調された音声信号を増幅し、スピーカＳＰに出力する。即ち、拡声出力部２４は、スピーカＳＰを使用して、無線親局装置１０からの音声放送を拡声放送として出力する。また、無線子局装置２０は電話機２６を備えている場合、ユーザが電話機２６を操作することにより、ユーザからの音声メッセージを送受信部２３から送信できる。
【００２４】
電源部２７は、商用電源（ＡＣ１００Ｖ）に接続し、制御部２１、メモリ部２２、送受信部２３、拡声出力部２４、入出力部２５のそれぞれに電源を供給し、商用電源の停電時には電源を確保することが可能な蓄電池を内蔵している。制御部２１は、電源部２７からの信号により商用電源の停電発生を判定し、電源部２７の蓄電池を電源として切り替える制御を実行する。
【００２５】
なお、図３では、無線子局装置２０として屋外拡声子局装置（アンサーバック機能付き）２０ａの場合を説明したが、これ以外の子局装置２０ｂ〜２０ｅについても、基本的構成は同様である。具体的には、屋外拡声子局装置（受信専用）２０ｃの場合には、送受信部２３の受信機能のみ必要であり、送信機能は不要となる。また、個別子局装置２０ｂ，２０ｄ、及び再送信子局装置２０ｅについては、アンサーバック機能付き又は受信専用の何れの子局装置と同様の構成である。
［無線同報動作］
次に、図４から図７を参照して、本実施形態の無線同報システムの動作を説明する。図４は当該無線同報動作を説明するためのシーケンス図である。また、図５から図７は、無線親局装置１０及び無線子局装置２０において、当該無線同報動作において１回目の送信から３回目の送信に伴うテーブル情報１２０、２２０の内容を示す図である。
【００２６】
本実施形態の無線同報システムでは、無線親局装置１０は、同一放送内容の音声放送を、一定間隔で連続的に複数回（ここでは３回とする）の繰り返し送信を行う。この場合、同一放送内容の放送回数を示す情報を回数情報（Ａ）とし、放送内容を識別する情報を識別情報（Ｂ）とする。一方、無線子局装置２０は、例えば２個の子局装置２０-1，２０-2を含み、それぞれが３回の繰り返し送信の中で、最初に受信した同一放送内容の音声放送を拡声放送する。
【００２７】
以下、図４から図７を参照して、無線同報動作を具体的に説明する。
【００２８】
図４に示すように、まず、庁舎４０内において、ユーザの入力操作に応じて操作卓４１から無線親局装置１０に対して、指定の放送内容（放送１とする）について１回目の放送指示４００が伝達される。無線親局装置１０は、受信した放送指示４００に応じて、当該放送内容の拡声放送を行うための１回目の拡声通知４１０を送信する。即ち、無線親局装置１０は、１回目の拡声通知４１０を子局装置２０-1，２０-2に対して無線同報送信を実行する。ここで、無線親局装置１０は、拡声通知４１０と共に、後述する回数情報（Ａ）及び識別情報（Ｂ）を送信する。なお、実際には、図１を参照して前述したように、中継局３０が無線親局装置１０から送信された拡声通知４１０を中継波Ｗｃとして受信して同報波Ｗｓを送信する。
【００２９】
ここで、図５に示すように、無線親局装置１０は、メモリ部１２に格納したテーブル情報１２０として、前述の回数情報（Ａ）及び識別情報（Ｂ）を管理している。なお、無線親局装置１０は、拡声通知を送信する度に回数情報（Ａ）及び識別情報（Ｂ）を更新する。
【００３０】
回数情報（Ａ）は、例えばカウントダウン数（２，１，０）で示し、３回の放送回数で１回目の場合には「Ａ＝２」と表記する。なお、回数情報（Ａ）はカウントアップ数（１，２，３）でもよい。また、識別情報（Ｂ）は、例えば１６種類の放送内容を識別する番号０〜Ｆを循環的に設定される。ここでは、１６種類目の放送内容を示す「Ｂ＝０」と表記する。なお、１７種類目の放送内容の場合には番号が０に戻り、「Ｂ＝０」となる。また、識別情報（Ｂ）は、符号「Ｂ」として同報対象エリアを示すように設定してもよい。
【００３１】
図４に戻って、無線親局装置１０の無線同報送信に対して、無線子局装置２０の動作を子局装置２０-1，２０-2のそれぞれに分けて説明する。子局装置２０-1は、１回目の拡声通知４１０を受信した場合に、前述の図３で示すように、当該放送内容（Ｂ＝０）の音声放送を、スピーカＳＰを使用して拡声放送（吹鳴）として出力する。一方、子局装置２０-2は、１回目の拡声通知４１０を受信できず、受信待ち受け状態を維持しているとする。
【００３２】
ここで、図５に示すように、子局装置２０-1，２０-2はそれぞれ、メモリ部２２に格納したテーブル情報２２０として、前述の回数情報（Ａ）及び識別情報（Ｂ）以外に、吹鳴フラグ（Ｃ）、内部識別情報（Ｄ）を管理している。
【００３３】
吹鳴フラグ（Ｃ）は、無線親局装置１０からの拡声通知４１０を受信して拡声放送（吹鳴）を実行した場合に、セット（Ｃ＝１）される。子局装置２０-1，２０-2の各制御部２１は、後述するように、当該吹鳴フラグ（Ｃ）に基づいて拡声放送を実行したことを認識できる。また、内部識別情報（Ｄ）は、受信した無線親局装置１０からの識別情報（ここではＢ＝０）が上書きされたものである。
【００３４】
なお、一般的に、無線子局装置は、「子局識別番号」という識別番号を管理している。この子局識別番号は、受信した放送内容について、当該子局装置が同報対象となっているか否かを判断するために使用される。同報対象の場合には、当該子局装置は受信した放送内容を拡声放送し、対象でない場合は拡声放送を実行しない。本実施形態では、無線子局装置２０は、子局識別番号により同報対象として設定されているものとする。
【００３５】
図５に戻って、子局装置２０-1は、１回目の拡声通知４１０を受信したので、テーブル情報２２０として回数情報（Ａ）、識別情報（Ｂ）、吹鳴フラグ（Ｃ）、内部識別情報（Ｄ）のそれぞれが設定されている。一方、子局装置２０-2は、１回目の拡声通知４１０を受信していないため、テーブル情報２２０として吹鳴フラグ（Ｃ）がリセット（Ｃ＝０）のままであり、他の情報については設定されていない。
【００３６】
次に、図４に戻って、操作卓４１から無線親局装置１０に対して、同一放送内容（放送１）について２回目の放送指示４０１が伝達される。無線親局装置１０は、受信した放送指示４０１に応じて、当該同一放送内容の拡声放送を行うための２回目の拡声通知４１１を送信する。ここで、図６に示すように、無線親局装置１０は、メモリ部１２に格納したテーブル情報１２０の回数情報（Ａ）として「Ａ＝１」を設定する。なお、１回目と同一放送内容であるため、識別情報（Ｂ）は「Ｂ＝０」のまま維持される。
【００３７】
図４に戻って、子局装置２０-1は、２回目の拡声通知４１１を受信した場合に、吹鳴フラグ（Ｃ）がセット（Ｃ＝１）されているため、拡声放送を実行しない（図５を参照）。一方、子局装置２０-2は、２回目の拡声通知４１１を受信した場合に、当該放送内容（Ｂ＝０）の受信が最初であるためスピーカＳＰを使用して拡声放送を実行する。この場合、子局装置２０-2は、吹鳴フラグ（Ｃ）がリセット状態（Ｃ＝０）であるため、当該放送内容（Ｂ＝０）の受信が最初であることを認識する（図５を参照）。
【００３８】
ここで、図６に示すように、子局装置２０-1は、２回目の拡声通知４１１を受信したので、テーブル情報２２０の回数情報（Ａ）については「Ａ＝１」として更新し、これ以外の識別情報（Ｂ）、吹鳴フラグ（Ｃ）、内部識別情報（Ｄ）のそれぞれについては前回の状態を維持する。一方、子局装置２０-2は、２回目の拡声通知４１１を受信したので、テーブル情報２２０として回数情報（Ａ）、識別情報（Ｂ）、吹鳴フラグ（Ｃ）、内部識別情報（Ｄ）のそれぞれが子局装置２０-1と同様に設定される。
【００３９】
さらに、図４に戻って、操作卓４１から無線親局装置１０に対して、同一放送内容（放送１）について３回目の放送指示４０２が伝達される。無線親局装置１０は、受信した放送指示４０２に応じて、当該同一放送内容の拡声放送を行うための３回目の拡声通知４１２を送信する。ここで、図７に示すように、無線親局装置１０は、メモリ部１２に格納したテーブル情報１２０の回数情報（Ａ）として「Ａ＝０」を設定する。なお、１回目及び２回目と同一放送内容であるため、識別情報（Ｂ）は「Ｂ＝０」のまま維持される。
【００４０】
図４に戻って、子局装置２０-1は、３回目の拡声通知４１２を受信した場合に、吹鳴フラグ（Ｃ）がセット（Ｃ＝１）されているため、拡声放送を実行しない（図６を参照）。同様に、子局装置２０-2は、３回目の拡声通知４１２を受信した場合に、吹鳴フラグ（Ｃ）がセット（Ｃ＝１）されているため、拡声放送を実行しない（図６を参照）。
【００４１】
ここで、図７に示すように、子局装置２０-1は、３回目の拡声通知４１２を受信したので、テーブル情報２２０の回数情報（Ａ）については「Ａ＝０」として更新する。また、１回目及び２回目と同一放送内容であるため、識別情報（Ｂ）及び内部識別情報（Ｄ）のそれぞれについては前回のまま維持される。同様に、子局装置２０-2は、３回目の拡声通知４１１を受信したので、テーブル情報２２０の回数情報（Ａ）については「Ａ＝０」として更新する。また、１回目及び２回目と同一放送内容であるため、識別情報（Ｂ）及び内部識別情報（Ｄ）のそれぞれについては前回のまま維持される。
【００４２】
ここで、本実施形態では、前述したように、無線親局装置１０は操作卓４１から放送指示に応じて、同一放送内容の拡声通知を連続的に３回だけ繰り返し送信を行う。子局装置２０-1，２０-2はそれぞれ、３回目の拡声通知４１１と共に送信される回数情報（Ａ＝０）に基づいて、受信した拡声通知４１１が同一放送内容の最後であることを認識する。この場合、図７に示すように、子局装置２０-1，２０-2はそれぞれ、テーブル情報２２０の吹鳴フラグ（Ｃ）をリセット（Ｃ＝０）する。
【００４３】
さらに、図４に戻って、操作卓４１から無線親局装置１０に対して、前回の放送内容（放送１）とは異なる放送内容（放送２）について、１回目の放送指示４０３が伝達された場合を説明する。この場合、無線親局装置１０は、受信した放送指示４０３に応じて、１回目の拡声通知４１３と共に、回数情報（Ａ＝２）及び識別情報（Ｂ＝１）を送信する。即ち、識別情報（Ｂ＝１）は、前回の放送内容（Ｂ＝０）とは異なることを示している。
【００４４】
子局装置２０-1は、１回目の拡声通知４１３を受信した場合に、識別情報（Ｂ＝１）及び吹鳴フラグ（Ｃ＝０）に基づいて、前回とは異なる放送内容を最初に受信したことを認識する。従って、子局装置２０-1は、当該放送内容（Ｂ＝１）の音声放送を、スピーカＳＰを使用して拡声放送し、吹鳴フラグＣをセット（Ｃ＝１）する。一方、子局装置２０-2は、１回目の拡声通知４１３を受信できない場合には、前回と同様に吹鳴フラグ（Ｃ＝０）を維持したまま、受信待ち受け状態を維持している。以下、同様にして同一放送内容（Ｂ＝１）について、２回目、３回目の無線同報動作が実行される。
【００４５】
図８は、図４を参照して説明した無線同報動作において、無線子局装置２０（子局装置２０-1，２０-2）の動作の手順を示すフローチャートである。
【００４６】
図８に示すように、無線子局装置２０は、受信待ち受け状態に設定されており、無線親局装置１０からの拡声通知の受信を待ち受けている（ステップＳ１）。無線子局装置２０は、拡声通知を受信した場合に、前述したように、拡声通知と共に受信した回数情報（Ａ）及び識別情報（Ｂ）をテーブル情報２２０として格納し、吹鳴フラグ（Ｃ）をチェックする（ステップＳ１のＹＥＳ，Ｓ２）。無線子局装置２０は、吹鳴フラグ（Ｃ）に基づいて、前回の受信で既に拡声放送を実行しているか否かを判定する（ステップＳ３）。
【００４７】
具体的には、無線子局装置２０は、吹鳴フラグ（Ｃ）がセット（Ｃ＝１）されている場合には、前回の受信で拡声放送を既に実行済みであると認識する（ステップＳ３のＹＥＳ）。また、無線子局装置２０は、吹鳴フラグ（Ｃ）がリセット（Ｃ＝０）状態であれば、最初の受信で拡声放送を実行していないと認識する（ステップＳ３のＮＯ）。
【００４８】
次に、無線子局装置２０は、吹鳴フラグ（Ｃ）がリセット（Ｃ＝０）状態であれば、当該放送内容（ここではＢ＝０）の拡声放送を実行する（ステップＳ３のＮＯ，Ｓ５）。無線子局装置２０は、拡声放送を実行した場合に、テーブル情報２２０の吹鳴フラグ（Ｃ）をセット（Ｃ＝１）し、かつ、内部識別情報（Ｄ）として受信した識別情報（Ｂ＝０）を上書きする。
【００４９】
一方、ステップＳ３の処理において、無線子局装置２０は、吹鳴フラグ（Ｃ）がセット（Ｃ＝１）されている場合に、前回の受信で拡声放送した放送内容（Ｄ＝０）と、今回の受信での識別情報（Ｂ）とを比較し、放送内容が同一であるか否か判定する（ステップＳ４）。無線子局装置２０は、前回と今回の受信で同一放送内容（Ｂ＝０，Ｄ＝０）であれば、既に前回の受信で拡声放送が終了しているので、拡声放送を実行しない（ステップＳ４のＮＯ）。
【００５０】
また、前回と今回の受信で放送内容が異なる場合には、無線子局装置２０は、当該放送内容（ここではＢ＝１）の拡声放送を実行する（ステップＳ４のＹＥＳ，Ｓ５）。この場合、無線子局装置２０は、テーブル情報２２０の吹鳴フラグ（Ｃ）をセット（Ｃ＝１）した状態を維持し、内部識別情報（Ｄ）として受信した識別情報（Ｂ＝１）を上書きする。
【００５１】
無線子局装置２０は、今回の受信で拡声通知と共に受信した回数情報（Ａ）をチェックする（ステップＳ６）。無線子局装置２０は、回数情報（Ａ）に基づいて、受信した拡声通知が同一放送内容の最後（例えば３回目）であることを認識すると、テーブル情報２２０の吹鳴フラグ（Ｃ）をリセット（Ｃ＝０）する（ステップＳ７のＹＥＳ，Ｓ８）。一方、無線子局装置２０は、受信した拡声通知が同一放送内容の最後ではない場合（例えば２回目）、受信待ち受け状態に戻る（ステップＳ７のＮＯ，Ｓ１）。
【００５２】
以上のように本実施形態によれば、無線親局装置１０から例えば防災放送に関する同一放送内容の拡声通知を複数回（例えば３回）の繰り返し送信を連続して行う。これにより、第１に、無線子局装置２０は当該拡声通知を受信できる可能性が高くなり、防災放送に関する拡声放送を確実に実現できる。換言すれば、無線子局装置２０は当該拡声通知を受信できず、拡声放送を実行できない事態の発生を抑制できる。ここで、本実施形態は、受信確率を高くするためのアンサーバック送信機能を備えていない無線子局装置に対しても適用できるため、無線子局装置の多様化を図ることが可能となる。
【００５３】
第２に、無線子局装置２０は、テーブル情報２２０を使用する制御に基づいて、複数回の中で最初に受信した同一放送内容の拡声通知に応じて拡声放送を実行する。換言すれば、無線子局装置２０は、同一放送内容とその放送回数を認識することにより、当該同一放送内容の拡声放送を実行した後は、異なる放送内容の拡声通知を受信するまで拡声放送を実行しない。従って、同一放送内容の２重拡声放送を回避することができる。
【００５４】
第３に、無線親局装置１０から拡声通知と共に送信する回数情報（Ａ）に基づいて、無線子局装置２０は、同一放送内容の放送回数（例えば３回）を認識できるため、次の放送内容の拡声放送を実行する上での準備状態（受信待ち受け状態）に確実に移行できる。
【００５５】
なお、本実施形態は、行政防災放送に適用する無線同報システムについて説明したが、これに限ることなく、他の分野の無線同報システムにも適用することができる。
［本実施形態の変形例］
図９は、図８を参照して説明した本実施形態の無線子局装置２０（子局装置２０-1，２０-2）の動作の手順において、その変形例を説明するためのフローチャートである。
【００５６】
図８に示すように、本実施形態の無線子局装置２０は、テーブル情報２２０として吹鳴フラグ（Ｃ）及び同一放送内容の識別情報（Ｂ及びＤ）を使用する制御に応じた拡声放送を実行する。ここで、吹鳴フラグ（Ｃ）は、例えば、１日に複数の異なる放送内容の拡声放送を行う場合に、同一放送内容の１回目の拡声放送を実行する上で必要となる。
【００５７】
具体的には、例えば朝の１回目の拡声放送では、無線親局装置１０及び無線子局装置２０のいずれの識別情報（Ｂ），（Ｄ）も初期値の可能性が高いため、無線子局装置２０は、単に吹鳴フラグ（Ｃ）を使用しない制御の場合には、未放送にもかかわらず拡声放送済みと判断する可能性がある。
【００５８】
本変形例は、吹鳴フラグ（Ｃ）を使用しない制御に応じた無線子局装置２０の動作手順を説明する。図９に示すように、無線子局装置２０は、受信待ち受け状態において、無線親局装置１０からの拡声通知を受信した場合に、前述したように、拡声通知と共に受信した回数情報（Ａ）及び識別情報（Ｂ）をテーブル情報２２０として格納する（ステップＳ11のＹＥＳ）。
【００５９】
ここで、本変形例では、無線親局装置１０は、例えば朝の１回目の拡声放送では、拡声通知と共に送信する識別情報（Ｂ）として、無線子局装置２０の内部識別情報（Ｄ）の初期値とは同期不可能な識別番号（例えば１０）を設定する。以下、図８のステップＳ３〜Ｓ７と同様の処理となる。即ち、識別情報（Ｂ）は、前述したように、例えば１６種類の放送内容を識別する番号０〜Ｆを循環的に設定される。一方、初期時には、無線子局装置２０の内部識別情報（Ｄ）は初期値として番号（０）が設定されている可能性が高い。
【００６０】
図９に戻って、無線子局装置２０は、前回の受信で拡声放送した放送内容（例えばＤ＝０）と、今回の受信での識別情報（Ｂ＝１０）とを比較し、放送内容が同一であるか否か判定する（ステップＳ１２）。無線子局装置２０は、前回と今回の受信で同一放送内容が異なる場合、当該放送内容（Ｂ＝１０）の拡声放送を実行する（ステップＳ１２のＹＥＳ，Ｓ１３）。この場合、無線子局装置２０は、テーブル情報２２０の内部識別情報（Ｄ）として受信した識別情報（Ｂ＝１０）を上書きする。一方、同一放送内容であれば、無線子局装置２０は、既に前回の受信で拡声放送が終了しているので、拡声放送を実行しない（ステップＳ１２のＮＯ）。
【００６１】
次に、無線子局装置２０は、今回の受信で拡声通知と共に受信した回数情報（Ａ）をチェックする（ステップＳ１４）。無線子局装置２０は、回数情報（Ａ）に基づいて、受信した拡声通知が同一放送内容の最後（例えば３回目）であることを認識する（ステップＳ１４のＹＥＳ）。一方、無線子局装置２０は、受信した拡声通知が同一放送内容の最後ではない場合（例えば２回目）、受信待ち受け状態に戻る（ステップＳ１４のＮＯ，Ｓ１１）。
【００６２】
以上のように本変形例によれば、例えば朝の１回目の拡声放送では、拡声通知と共に送信する識別情報（Ｂ）として、無線子局装置２０の内部識別情報（Ｄ）の初期値とは同期不可能な識別番号を設定することを条件として、吹鳴フラグ（Ｃ）を使用しない制御により、無線子局装置２０の拡声放送を実現することができる。なお、本変形例においても、前述した本実施形態における第１から第３の効果を得ることが可能である。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１０…無線親局装置、１１…制御部、１２…メモリ部、１３…送受信部、
１３ａ…現用送受信部、１３ｂ…予備送受信部、１４…切替部、１５…電源部、
２０（２０ａ〜２０ｅ）…無線子局装置、２１…制御部、２２…メモリ部、
２３…送受信部、２４…拡声出力部、２５…入出力部、２６…電話機、
２７…電源部、３０…中継局、４０…庁舎、ＡＴ…アンテナ、ＳＰ…スピーカ。
【図１】
2018093282.tif 000003
【図２】
2018093282.tif 000004
【図３】
2018093282.tif 000005
【図４】
2018093282.tif 000006
【図５】
2018093282.tif 000007
【図６】
2018093282.tif 000008
【図７】
2018093282.tif 000009
【図８】
2018093282.tif 000010
【図９】
2018093282.tif 000011